(57)【要約】【課題】映像コンテンツ配信設備から無線送信される映像コンテンツの受信・再生機能と携帯電話端末が有するデータ通信機能とを連携させることで、携帯電話端末による映像コンテンツの新たな視聴形態を創造し、携帯電話端末ユーザの満足度を向上させる。【解決手段】携帯電話端末１１ａは、映像コンテンツ配信設備１０から映像コンテンツ・データ１４を受信するとともに、映像コンテンツ・データ１４に関して編集されたコンテンツ関連情報１５を生成し、携帯電話通信網１２１を介して関連情報サーバ１３に送信する。携帯電話端末１１ｂは、映像コンテンツ配信設備１０から映像コンテンツ・データ１４を受信するとともに、携帯電話通信網１２１を介して関連情報サーバ１３からコンテンツ関連情報１５を受信し、映像コンテンツ・データ１４の再生映像を表示デバイス１１１に出力する際に、表示デバイス１１１の表示をコンテンツ関連情報１５を用いて制御する。【選択図】図１１
2008306520.tif 000002
【特許請求の範囲】
【請求項１】
第１及び第２の携帯電話端末並びに関連情報サーバを備える情報配信システムであって、
前記第１の携帯電話端末は、
(1) 第１の表示デバイスと、
(2) 第１の入力デバイスと、
(3) 映像コンテンツ配信設備から送出される無線信号を受信し、前記無線信号に含まれる映像コンテンツ・データを取得する第１の映像コンテンツ受信手段と、
(4) 前記映像コンテンツ・データを再生し、前記第１の表示デバイスに表示する再生手段と、
(5) 前記第１の入力デバイスに対するユーザによる入力に応じて、前記映像コンテンツ・データに関して編集されたコンテンツ関連情報を生成する関連情報生成手段と、
(6) 前記コンテンツ関連情報を前記関連情報サーバに無線送信する手段とを有し、
前記関連情報サーバは、
(1) 前記第１の携帯電話端末から前記コンテンツ関連情報を受信する手段と、
(2) 受信した前記コンテンツ関連情報を前記第２の携帯電話端末に送信する手段とを有し、
前記第２の携帯電話端末は、
(1) 第２の表示デバイスと、
(2) 前記映像コンテンツ配信設備から送出される無線信号を受信し、前記第１の携帯電話端末に配信されたのと同一の前記映像コンテンツ・データを取得する第２の映像コンテンツ受信手段と、
(3) 前記関連情報サーバから送信される前記コンテンツ関連情報を無線受信する関連情報受信手段と、
(4) 前記映像コンテンツ・データを再生して前記第２の表示デバイスへ表示するとともに、受信された前記コンテンツ関連情報に基づいて前記第２の表示デバイスの表示を制御する表示制御手段とを有する、
情報配信システム。
【請求項２】
前記関連情報生成手段は、前記ユーザにより前記第１の入力デバイスを用いて入力されたコメントデータを、前記ユーザにより指定された前記映像コンテンツ・データの再生位置と関連付けて前記コンテンツ関連情報に含める請求項１に記載の情報配信システム。
【請求項３】
前記表示制御手段は、前記映像コンテンツ・データを表示する映像表示領域と前記コメントデータを表示するコメント表示領域を含む画面を、前記第２の表示デバイスに表示する請求項２に記載の情報配信システム。
【請求項４】
前記表示制御手段は、前記ユーザにより指定された前記映像コンテンツ・データの再生位置を前記映像表示領域に表示させるタイミングに合わせて、前記コメントデータを前記コメント表示領域に表示させる請求項３に記載の情報配信システム。
【請求項５】
前記コンテンツ関連情報は、前記ユーザによって指定された前記映像コンテンツ・データの再生開始時刻情報を含み、
前記表示制御手段は、前記コンテンツ関連情報に含まれる前記再生開始時刻情報に従って、前記映像コンテンツ・データの再生を開始する請求項１乃至４のいずれか１項に記載の情報配信システム。
【請求項６】
前記関連情報サーバは、前記第１の携帯電話端末から受信した前記コンテンツ関連情報を、前記ユーザに予め関連付けられた他のユーザが使用する１又は複数の前記第２の携帯電話端末に送信する請求項１乃至５のいずれか１項に記載の情報配信システム。
【請求項７】
表示デバイスと、
映像コンテンツ配信設備から送出される第１の無線信号を受信し、前記第１の無線信号に含まれる映像コンテンツ・データを取得する映像コンテンツ受信手段と、
携帯電話通信設備から送出される第２の無線信号を受信し、前記映像コンテンツ・データに関して編集されたコンテンツ関連情報を前記第２の無線信号から取得する関連情報受信手段と、
前記映像コンテンツ・データを再生して前記表示デバイスへ出力するとともに、前記コンテンツ関連情報に基づいて前記表示デバイスの表示を制御する表示制御手段と、
を備える携帯電話端末。
【請求項８】
前記コンテンツ関連情報は、他の携帯電話端末ユーザによって編集された前記映像コンテンツ・データに関するコメントデータと、該コメントデータに対応する前記映像コンテンツ・データの再生位置情報とを含み、
前記表示制御手段は、前記映像コンテンツ・データの再生映像とともに前記コメントデータを前記表示デバイスに出力し、前記映像コンテンツ・データの再生位置に応じて、前記コメントデータの表示を更新する請求項７に記載の携帯電話端末。
【請求項９】
前記コンテンツ関連情報は、他の携帯電話端末ユーザによって指定された前記映像コンテンツ・データの再生開始時刻情報を含み、
前記表示制御手段は、前記コンテンツ関連情報に含まれる前記再生開始時刻情報に従って、前記映像コンテンツ・データの再生を開始する請求項７又は８に記載の携帯電話端末。
【請求項１０】
携帯電話端末における映像コンテンツ再生制御方法であって、
映像コンテンツ配信設備から送出される第１の無線信号を受信し、前記第１の無線信号に含まれる映像コンテンツ・データを取得する映像コンテンツ受信ステップと、
携帯電話通信設備から送出される第２の無線信号を受信し、前記映像コンテンツ・データに関して編集されたコンテンツ関連情報を前記第２の無線信号から取得する関連情報受信ステップと、
前記映像コンテンツ・データを再生して当該携帯電話端末が有する表示デバイスへ出力するとともに、前記コンテンツ関連情報に基づいて前記表示デバイスの表示を制御する再生ステップと、
を備える映像コンテンツ再生制御方法。
【請求項１１】
前記コンテンツ関連情報は、他の携帯電話端末ユーザによって編集された前記映像コンテンツ・データに関するコメントデータと、該コメントデータに対応する前記映像コンテンツ・データの再生位置情報とを含み、
前記再生ステップでは、前記映像コンテンツ・データの再生映像とともに前記コメントデータを前記表示デバイスに出力し、前記映像コンテンツ・データの再生位置に応じて、前記コメントデータの表示を更新する請求項１０に記載の映像コンテンツ再生制御方法。
【請求項１２】
前記コンテンツ関連情報は、他の携帯電話端末ユーザによって指定された前記映像コンテンツ・データの再生開始時刻情報を含み、
前記再生ステップでは、前記コンテンツ関連情報に含まれる前記再生開始時刻情報に従って、前記映像コンテンツ・データの再生を開始する請求項１０又は１１に記載の映像コンテンツ再生制御方法。
【発明の詳細な説明】
【技術分野】
【０００１】
本発明は、映像コンテンツ配信設備から無線送信された映像コンテンツを受信して再生表示することが可能な携帯電話端末に関し、特に、携帯電話端末における映像コンテンツの再生制御方法、及び、携帯電話端末にて再生制御を行うための情報を他の携帯電話端末との間で送受信するための情報配信システムに関する。
【背景技術】
【０００２】
日本では、ＩＳＤＢ−Ｔ（integrated service digital broadcasting-terrestrial）方式による携帯機器向けの地上デジタル放送（いわゆるワンセグ放送）が開始されており、ワンセグ放送を受信可能な携帯電話端末が実用化されている（例えば特許文献１を参照）。その他の携帯機器向けの放送技術には、例えば、携帯電話端末への映像コンテンツのストリーミング配信又はダウンロード配信を行うためのＭｅｄｉａＦＬＯ方式などがある。
【特許文献１】特開２００７−１０４４９０号公報
【発明の開示】
【発明が解決しようとする課題】
【０００３】
上述したワンセグ方式やＭｅｄｉａＦＬＯ方式などの映像コンテンツ配信設備から無線送信される映像コンテンツの受信・再生機能が携帯電話端末に付加されることで、映像コンテンツの視聴場所の制約が解消された。しかしながら、携帯電話端末の持ち運び容易性を除く携帯電話端末が有するその他の利点や機能を、映像コンテンツの受信・再生機能と連携させることは十分に行われていない。
【０００４】
本発明は、上述した事情を考慮してなされたものであり、映像コンテンツ配信設備から無線送信される映像コンテンツの受信・再生機能と携帯電話端末が有するデータ通信機能とを連携させることによって、携帯電話端末による映像コンテンツの新たな視聴形態を創造し、映像コンテンツを視聴する携帯電話端末ユーザの満足度向上に寄与することを目的とする。
【課題を解決するための手段】
【０００５】
本発明の第１の態様は、第１及び第２の携帯電話端末並びに関連情報サーバを備える情報配信システムである。前記第１の携帯電話端末は、(1) 第１の表示デバイス、(2) 第１の入力デバイス、(3) 映像コンテンツ配信設備から送出される無線信号を受信し、前記無線信号に含まれる映像コンテンツ・データを取得する第１の映像コンテンツ受信手段、(4) 前記映像コンテンツ・データを再生し、前記第１の表示デバイスに表示する再生手段、(5) 前記第１の入力デバイスに対するユーザによる入力に応じて、前記映像コンテンツ・データに関して編集されたコンテンツ関連情報を生成する関連情報生成手段、及び、(6) 前記コンテンツ関連情報を前記関連情報サーバに無線送信する手段を有する。
【０００６】
前記関連情報サーバは、(1) 前記第１の携帯電話端末から前記コンテンツ関連情報を受信する手段、及び、(2) 受信した前記コンテンツ関連情報を前記第２の携帯電話端末に送信する手段を有する。
【０００７】
前記第２の携帯電話端末は、(1) 第２の表示デバイス、(2) 前記映像コンテンツ配信設備から送出される無線信号を受信し、前記第１の携帯電話端末に配信されたのと同一の前記映像コンテンツ・データを取得する第２の映像コンテンツ受信手段、(3) 関連情報サーバから送信された前記コンテンツ関連情報を無線受信する関連情報受信手段、及び、(4) 前記映像コンテンツ・データを再生して前記第２の表示デバイスへ表示するとともに、受信された前記コンテンツ関連情報に基づいて前記第２の表示デバイスの表示を制御する表示制御手段を有する。
【０００８】
上述した第１の態様にかかる情報配信システムは、第１及び第２の携帯電話端末が有する通信機能を用いることで第１の携帯電話端末ユーザと第２の携帯電話端末ユーザの間での映像コンテンツに関する情報、つまりコンテンツ関連情報の共有を容易に行うことができる。また、第２の携帯電話端末は、複数ユーザ間で共有された情報を利用して、映像コンテンツの再生時に第２の表示デバイスの表示を制御することができる。
【０００９】
つまり、コンテンツ関連情報の第１及び第２の携帯電話端末間での送受信を可能とすることによって、第２の携帯電話端末は、単に映像を表示させる道具として機能するだけではなく、表示映像に関連して他のユーザにより提供される付加的な情報（コンテンツ関連情報）も併せてユーザに提供できる。これにより、映像コンテンツ・データに関する有益な又は魅力的な情報をユーザに対して提供することができ、携帯電話端末を用いて映像コンテンツを視聴するユーザの満足度を向上させることができる。
【発明の効果】
【００１０】
本発明により、映像コンテンツ配信設備から無線送信される映像コンテンツの受信・再生機能と携帯電話端末が有するデータ通信機能とを連携させることで、携帯電話端末による映像コンテンツの新たな視聴形態を創造することができ、映像コンテンツを視聴する携帯電話端末ユーザの満足度を向上させることができる。
【発明を実施するための最良の形態】
【００１１】
以下では、本発明を適用した具体的な実施の形態について、図面を参照しながら詳細に説明する。各図面において、同一要素には同一の符号が付されており、説明の明確化のため、必要に応じて重複説明は省略される。
【００１２】
実施の形態１．
図１は、本実施の形態にかかる情報配信システム１の概略図である。始めに、図１を用いて情報配信システム１に含まれる各構成要素の概要を説明する。
【００１３】
図１において、映像コンテンツ配信設備１０は、携帯端末向けの放送サービス（映像コンテンツ配信サービス）の提供を行うための設備である。映像コンテンツ配信設備１０は、映像コンテンツ配信サーバ１０１及び送信所１０２を含む。映像コンテンツ配信サーバ１０１は、携帯端末での視聴に適したフォーマットにエンコードされた映像コンテンツ・データを蓄積する。携帯端末での視聴に適したフォーマットは、動画圧縮率の高い符号化技術を採用したものであり、例えば、ＩＳＤＢ−Ｔ方式の地上デジタル放送やＭｅｄｉａＦＬＯ方式で採用されるITU-T H.264（MPEG-4 AVC）である。携帯端末での視聴に適したフォーマットの他の例は、SMPTE（Society of Motion Picture and Television Engineers）で規格化されているVC-1である。
【００１４】
送信所１０２は、映像コンテンツ・データ１４を含む無線信号を送出し、携帯電話端末１１ａ及びｂを含む携帯端末に対して映像コンテンツ配信サーバ１０１に蓄積された映像コンテンツ・データ１４を配送する。
【００１５】
携帯電話端末１１ａ及び１１ｂは、携帯電話通信網１２１に接続して音声通話、電子メール送受信及びインターネット接続等を行えるほか、映像コンテンツ配信設備１０から配信される映像コンテンツを受信しこれを再生する機能を有する。携帯電話端末１１ａ及び１１ｂは、送信所１０２から送出される無線信号を受信し、この無線信号に含まれる映像コンテンツ・データ１４を復調する。また、携帯電話端末１１ａ及び１１ｂは、映像コンテンツ・データ１４を再生して表示デバイス１１１に表示する。
【００１６】
さらに、携帯電話端末１１ａ及び１１ｂは、コンテンツ関連情報１５を生成する機能、生成したコンテンツ関連情報１５を関連情報サーバ１３へ送信する機能、並びに、他の携帯電話端末により生成されたコンテンツ関連情報１５を関連情報サーバ１３から受信する機能を有する。コンテンツ関連情報１５は、映像コンテンツ・データ１４に関してユーザにより編集された情報であり、携帯電話端末１１ａ及び１１ｂに対するユーザの入力操作に応じて生成される。
【００１７】
なお、以下では、説明の便宜のために、コンテンツ関連情報１５の生成及び関連情報サーバ１３への送信を携帯電話端末１１ａが行うものとし、関連情報サーバ１３からのコンテンツ関連情報１５の受信を携帯電話端末１１ｂが行うものとして説明する。
【００１８】
携帯電話端末１１ａは、入力デバイス１１２に対するユーザによる入力に応じてコンテンツ関連情報１５を生成し、基地局１２２及び携帯電話通信網１２１を介して関連情報サーバ１３に送信する。
【００１９】
携帯電話端末１１ｂは、携帯電話通信網１２１及び基地局１２３を介して関連情報サーバ１３からコンテンツ関連情報１５を受信する。ここで、携帯電話端末１１ｂが受信するコンテンツ関連情報１５は、携帯電話端末１１ａのユーザによって編集された映像コンテンツ・データ１４に関する情報である。携帯電話端末１１ｂが受信するコンテンツ関連情報１５には、例えば、携帯電話端末１１ａのユーザが興味を持った場面の感想や解説、お気に入りの場面に関するメモ等のコメントが含まれる。携帯電話端末１１ｂは、映像コンテンツ・データ１４の再生映像を自身の表示デバイス１１１に表示させる際に、コンテンツ関連情報１５を用いて表示デバイス１１１の表示を制御する。なお、コンテンツ関連情報１５の具体例及び携帯電話端末１１ｂが行う表示制御の具体例については後述する。
【００２０】
続いて、携帯電話端末１１ａ及び１１ｂ並びに関連情報サーバ１３の構成ついて説明する。図２は、携帯電話端末１１ａの構成を示すブロック図である。制御部１１０は、携帯電話端末１１ａの全体制御を行うほか、映像コンテンツ・データ１４の再生処理、表示デバイス１１１への出力制御、コンテンツ関連情報１５の生成を行う。表示デバイス１１１は、ユーザに対する操作画面の表示、映像コンテンツの再生映像の表示などを行う装置であり、具体的には、液晶表示パネル、エレクトロルミネッセンス表示パネル等である。入力デバイス１１２は、ユーザによる操作を電気信号等に変換して受け付ける装置であり、具体的には、操作ボタン、キーボード、タッチパネル、ペンタブレット等である。
【００２１】
放送受信部１１３は、放送受信アンテナ１１４により受信された無線信号を復調して映像コンテンツ・データ１４を取得する。通信部１１５は、携帯電話通信網１２１に接続して双方向通信を行うためインタフェースであり、関連情報サーバ１３との間でコンテンツ関連情報１５の送受信を行う。記憶部１１７は、映像コンテンツ・データ１４及びコンテンツ関連情報１５を記憶する。共用アンテナ１１６は、基地局１２２への信号送信及び基地局１２２からの信号受信に共用されるアンテナである。記憶部１１７は、例えば、ＲＡＭ（Random Access Memory）、フラッシュメモリ又はハードディスクドライブである。なお、携帯電話端末１１ｂの構成は携帯電話端末１１ａと同様であるため、携帯電話端末１１ｂの構成に関する重複説明は省略する。
【００２２】
図３は、関連情報サーバ１３の構成を示すブロック図である。図３に示すように、関連情報サーバ１３には、典型的なコンピュータシステムを用いることができる。図３において、ＣＰＵ（Central Processing Unit）１３０は、ＲＯＭ（Read Only Memory）１３２又は不揮発性記憶装置１３４に格納されたオペレーションシステム（ＯＳ）１３５及び関連情報転送プログラム１３６を実行する。関連情報転送プログラム１３６に記述された命令がＣＰＵ１００で実行されることにより、図３のコンピュータシステムが関連情報サーバ１３として動作する。
【００２３】
通信インタフェース１３３は、関連情報サーバ１３を携帯電話通信網１２１に接続し、携帯電話端末１１ａ及び１１ｂとの間でデータ送受信を行うためのインタフェースである。
【００２４】
不揮発性記憶装置１３４は、ＯＳ１３５及び関連情報転送プログラム１３６のほか、携帯電話端末１１ａより受信したコンテンツ関連情報１５を格納する。不揮発性記憶装置１３４には、ハードディスクドライブ、光磁気ディスクドライブ、フラッシュメモリ等が利用可能である。また、不揮発性記憶装置１３４は、他の構成要素と共に単一のコンピュータ内に設けられた記憶装置でもよいが、例えば、物理的に離隔されたネットワーク・ストレージとして構成されてもよく、複数のハードディスク装置やフラッシュメモリの組み合わせにより構成されてもよい。
【００２５】
上述のように構成された情報配信システム１においてコンテンツ配信サーバ１０１による映像コンテンツの配信から携帯電話端末１１ｂによる映像再生が行われるまでの全体的な処理シーケンスは、図４に示すようになる。始めにステップＳ１０１では、コンテンツ配信サーバ１０１から携帯電話端末１１ａ及び１１ｂに映像コンテンツ・データ１４が配信される。ステップＳ１０２では、携帯電話端末１１ａにおいて、配信された映像コンテンツ・データ１４の再生及び表示デバイス１１１への表示が行われる。ステップＳ１０３では、携帯電話端末１１ａが、再生された映像を視聴するユーザの入力に応じてコンテンツ関連情報１５を生成する。
【００２６】
ここで、携帯電話端末１１ａによるコンテンツ関連情報１５の生成手順を図５のフローチャートに従って説明する。ステップＳ２０１では、再生された映像を視聴するユーザによるコメントの入力を受け付ける。ユーザによるコメントの入力は、入力デバイス１１２を用いて行われる。ステップＳ２０２では、入力デバイス１１２を用いて入力されたコメント内容を示すコメントデータを映像コンテンツ・データ１４の再生位置と対応付けて記憶部１１７に保存する。映像コンテンツ・データ１４の再生位置は、例えば、映像コンテンツ・データ１４の先頭位置から見たフレーム番号や再生時間として指定される。図６（ａ）は、映像コンテンツ・データ１４の再生時間として指定された再生位置情報とコメントデータとを対応付けて示したものである。例えば、映像コンテンツ・データ１４がサッカーの試合の中継映像である場合、ゴールシーン等に関するユーザの感想や解説等のコメントが再生位置と対応付けて記録される。
【００２７】
ステップＳ２０３では、記憶部１１７に保存されたコメントデータ及び再生位置情報を読み出してコンテンツ関連情報１５を生成する。コンテンツ関連情報の一例を図６（ｂ）に示す。
【００２８】
図６（ｂ）において、コンテンツ名１５０は、映像コンテンツ・データ１４の名称である。識別情報１５１は、映像コンテンツ・データ１４とコンテンツ関連情報１５との対応を確認するために付与されたデータである。例えば、映像コンテンツ・データ１４から計算されたハッシュ値を識別情報１５１としてもよい。コンテンツ関連情報１５の配信を受けた携帯電話端末１１ｂは、映像コンテンツ・データ１４から算出されたハッシュ値とコンテンツ関連情報１５に含まれる識別情報１５１の一致により、映像コンテンツ・データ１４と配信されたコンテンツ関連情報１５との対応関係の正しさを確認することができる。ユーザ情報１５２は、コンテンツ関連情報１５を作成したユーザを示す情報である。本実施の形態の場合、ユーザ情報１５２には、携帯電話端末１１ａのユーザを示すユーザＩＤが含まれる。
【００２９】
ユーザ情報１５２の後に繰り返される再生位置情報１５３及びコメントデータ１５４の対は、携帯電話端末１１ａのユーザによって入力されたコメントの内容と、そのコメントに対応する映像コンテンツ・データ１４の再生位置を示す情報である。
【００３０】
図４に戻り説明を続ける。ステップＳ１０４では、携帯電話端末１１ａがコンテンツ関連情報１５を関連情報サーバ１３に送信する。より具体的に述べると、携帯電話端末１１ａは、コンテンツ関連情報１５を含む無線信号を共用アンテナ１１６から送出する。コンテンツ関連情報１５は、携帯電話通信網１２１を経由して関連情報サーバ１３に到達する。ステップＳ１０５では、関連情報サーバ１３が受信したコンテンツ関連情報１５を記憶装置１３４に格納する。
【００３１】
ステップＳ１０６では、携帯電話端末１１ｂが、予めステップＳ１０１にて配信されていた映像コンテンツ・データ１４の再生指示を受け付ける。携帯電話端末１１ｂに対する再生指示は、携帯電話端末１１ｂを使用するユーザによる入力デバイス１１２の操作によって入力される。また、携帯電話端末１１ｂに対する再生指示は、映像コンテンツ・データ１４に記述された再生開始時刻等の予め指定された再生開始時刻が到来したことに応じて、携帯電話端末１１ｂの制御部１１０によって自動生成されてもよい。
【００３２】
ステップＳ１０７では、携帯電話端末１１ｂが、関連情報サーバ１３に対して、再生要求のあった映像コンテンツ・データ１４に対応するコンテンツ関連情報１５の送信を要求する。なお、コンテンツ関連情報１５の送信要求は、映像コンテンツ・データ１４の再生に先立って、携帯電話端末１１ｂが自動的に行うよう構成してもよい。
【００３３】
ステップＳ１０８では、携帯電話端末１１ｂの送信要求に応答して、関連情報サーバ１３がコンテンツ関連情報１５を携帯電話端末１１ｂに送信する。コンテンツ関連情報１５は、携帯電話通信網１２１を経由して携帯電話端末１１ｂに到達する。ステップＳ１０９では、携帯電話端末１１ｂが、映像コンテンツ・データ１４を再生する。このとき、携帯電話端末１１ｂは、コンテンツ関連情報１５を使用して映像コンテンツ・データ１４の再生を制御する。
【００３４】
携帯電話端末１１ｂにおけるコンテンツ関連情報１５を用いた再生制御の具体例について、図７のフローチャートを参照して説明する。ステップＳ３０１では、制御部１１０が、再生する映像コンテンツ・データ１４に関するコンテンツ関連情報１５を記憶部１１７から読み出す。ステップＳ３０２では、制御部１１０が映像コンテンツ・データ１４を復号し、復元された映像を表示デバイス１１１に出力する。ステップＳ３０３では、制御部１１０が、コンテンツ関連情報１５を参照して、表示デバイス１１１に表示される映像の再生位置に合致するコメントデータを選択し、これを再生映像と併せて表示デバイス１１１に表示させる。制御部１１０は、映像コンテンツ・データ１４が終了するまで、または、ユーザの操作によって映像再生の停止が選択されるまで、ステップＳ３０２及びＳ３０３を繰り返し実行する（Ｓ３０４）。
【００３５】
携帯電話端末１１ｂの表示デバイス１１１に表示される画面の一例を図８に示す。図８に示す表示デバイス１１１の表示面８００には、映像表示領域８０１とコメント表示領域８０２が表示されている。映像表示領域８０１は、映像コンテンツ・データ１４から復元された再生映像が表示される領域である。また、コメント表示領域８０２は、コンテンツ関連情報１５に含まれているコメントデータの内容が表示される領域である。つまり、コメント表示領域８０２には、映像コンテンツ・データ１４に関連して携帯電話端末１１ａのユーザにより作成されたコメントが表示される。コメント表示領域８０２の表示内容は、映像コンテンツの再生時間に応じて更新される。例えば、映像表示領域８０１に表示される映像が、コンテンツ関連情報１５においてコメントデータと対応付けて記録された再生位置に近づいたこと、再生位置に到達したこと、又は再生位置を経過したことに応じて、対応するコメントデータの内容がコメント表示領域８０２に表示される。なお、図８は、図６（ａ）に示したコンテンツ関連情報に対応した表示の例であって、映像コンテンツの再生時間が４５分となったことにより、この再生時間に対応するコメント内容"ＡＡＡＡＡＡＡＡＡＡ"がコメント表示領域８０２に表示されている。
【００３６】
上述したように、本実施の形態にかかる情報配信システム１は、携帯電話端末１１ａ及び１１ｂが有するデータ通信機能を用いることで携帯電話端末１１ａのユーザと携帯電話端末１１ｂのユーザの間で映像コンテンツ・データ１４に関するコンテンツ関連情報１５の共有を容易に行うことができる。また、携帯電話端末１１ｂは、複数ユーザ間で共有された情報を利用して、映像コンテンツ・データ１４の再生時に表示デバイス１１１の表示を制御することができる。具体的には、携帯電話端末１１ｂは、他のユーザによる映像コンテンツ・データ１４の感想や解説等が記述されたコメントを、映像コンテンツ・データ１４の再生映像と併せて表示させることができる。
【００３７】
つまり、コンテンツ関連情報１５のユーザ間での送受信を可能とすることによって、携帯電話端末１１ｂは、単に映像を表示させる道具として機能するだけではなく、表示映像に関連して他のユーザにより提供される付加的な情報も併せてユーザに提供できる。これにより、映像コンテンツ・データ１４に関する有益な又は魅力的な情報をユーザに対して提供することができ、携帯電話端末を用いて映像コンテンツを視聴するユーザの満足度を向上させることができる。
【００３８】
なお、図４のシーケンス図には、携帯電話端末１１ｂからの送信要求に応じて関連情報サーバ１３がコンテンツ関連情報１５を送信する動作を示したが、関連情報サーバ１３によるコンテンツ関連情報１５は、携帯電話端末１１ｂの送信要求によらず自動的に行ってもよい。例えば、関連情報サーバ１３が、複数のユーザを含む配信ユーザリストを保持し、配信ユーザリストに登録されたユーザからコンテンツ関連情報１５を受信すると、配信ユーザリスト内の他のユーザに自動送信してもよい。この場合、携帯電話端末１１ａのユーザと携帯電話端末１１ｂのユーザを同一の配信ユーザリストに登録しておけばよい。
【００３９】
実施の形態２．
本実施の形態にかかる情報配信システム２の構成を図９に示す。情報配信システム２は、上述した情報配信システム１と比べて、携帯電話端末１１ａが生成するコンテンツ関連情報と、コンテンツ関連情報に基づく携帯電話端末１１ｂの再生制御が異なる。情報配信システム２に含まれるその他の構成要素、携帯電話端末１１ａ及び１１ｂの構成は、情報配信システム１に含まれるものと同一であるから、これらに関する詳細な説明は省略する。
【００４０】
本実施の形態にかかる携帯電話端末１１ａによって生成されるコンテンツ関連情報２５のデータ構成を図１０に示す。コンテンツ関連情報２５は、ユーザにより指定された映像コンテンツ・データ１４の再生開始時刻情報２５３を含む。ユーザによる再生開始時刻情報２５３の指定は、入力デバイス１１２を使用して行われる。なお、コンテンツ関連情報２５は、図６（ｂ）に示した再生位置情報１５３及びコメントデータ１５４を含んでもよい。
【００４１】
情報配信システム２においてコンテンツ配信サーバ１０１による映像コンテンツの配信から携帯電話端末１１ｂによる映像再生が行われるまでの全体的な処理シーケンスは、図１１に示すようになる。始めにステップＳ４０１では、コンテンツ配信サーバ１０１から携帯電話端末１１ａ及び１１ｂに映像コンテンツ・データ１４が配信される。ステップＳ４０２では、携帯電話端末１１ａが、ユーザによる再生開始時刻の指定を受け付けるとともに、ユーザにより指定された再生開始時刻情報２５３を含むコンテンツ関連情報２５を生成する。
【００４２】
ステップＳ４０３では、携帯電話端末１１ａがコンテンツ関連情報２５を関連情報サーバ１３に送信する。ステップＳ４０４では、関連情報サーバ１３が、携帯電話端末１１ｂのユーザを含む予め定められた配信先に、コンテンツ関連情報２５を送信する。なお、上述した実施の形態１と同様に、関連情報サーバ１３は、携帯電話端末１１ｂからの送信要求に応じてコンテンツ関連情報２５を送信するよう構成されてもよい。
【００４３】
ステップＳ４０６では、携帯電話端末１１ａ及び１１各々が、再生開始時刻の到来を判定する。具体的には、携帯電話端末１１ａは、ユーザにより入力デバイス１１２を用いて直接入力された再生開始時刻の到来を判定する。また、携帯電話端末１１ｂは、関連情報サーバ１３から配信されたコンテンツ関連情報２５に含まれる再生開始時刻情報２５３に示される時刻の到来を判定する。ステップＳ４０７では、携帯電話端末１１ａ及び１１ｂが各々独立に再生開始時刻から映像コンテンツ・データ１４の再生を開始することで、同時に再生が開始される。
【００４４】
上述したように、本実施の形態にかかる携帯電話端末１１ｂは、コンテンツ関連情報に含まれる再生開始時刻の指定に応じて、映像コンテンツ・データ１４の再生開始タイミングを決定することとした。これにより、本実施の形態にかかる情報配信システム２は、コンテンツ配信サーバ１０１から配信される映像コンテンツ・データ１４が、ストリーム型の映像コンテンツではなく蓄積型の映像コンテンツである場合であっても、複数の携帯電話端末１１ａ及び１１ｂにおいて、同時に再生を開始することができる。
【００４５】
さらに、本発明は上述した実施の形態のみに限定されるものではなく、既に述べた本発明の要旨を逸脱しない範囲において種々の変更が可能であることは勿論である。
【図面の簡単な説明】
【００４６】
【図１】本発明の実施の形態１にかかる情報配信システムを示す図である。
【図２】本発明の実施の形態１にかかる携帯通信端末の構成を示すブロック図である。
【図３】本発明の実施の形態１にかかる関連情報配信サーバの構成を示すブロック図である。
【図４】本発明の実施の形態１にかかる情報配信システムのシーケンス図である。
【図５】本発明の実施の形態１の携帯電話端末におけるコンテンツ関連情報の生成処理に関する示すフローチャートである。
【図６】コンテンツ関連情報の具体例を示す図である。
【図７】本発明の実施の形態１の携帯電話端末におけるコンテンツ関連情報利用した再生制御処理に関する示すフローチャートである。
【図８】本発明の実施の形態１にかかる携帯電話端末の表示画面例を示す図である。
【図９】本発明の実施の形態２にかかる情報配信システムを示す図である。
【図１０】コンテンツ関連情報の一例を示す図である。
【図１１】本発明の実施の形態２にかかる情報配信システムのシーケンス図である。
【符号の説明】
【００４７】
１、２  情報配信システム
１０  映像コンテンツ配信設備
１１ａ、１１ｂ  携帯電話端末
１３  関連情報サーバ
１４  映像コンテンツ・データ
１５、２５  コンテンツ関連情報
１０１  コンテンツ配信サーバ
１０２  送信所
１１１  表示デバイス
１１２  入力デバイス
１１３  放送受信部
１１４  放送受信アンテナ
１１５  通信部
１１６  共用アンテナ
１１７  記憶部
１２１  携帯電話通信網
１２２、１２３  基地局
８０１  映像表示領域
８０２  コメント表示領域
【図１】
2008306520.tif 000003
【図２】
2008306520.tif 000004
【図３】
2008306520.tif 000005
【図４】
2008306520.tif 000006
【図５】
2008306520.tif 000007
【図６】
2008306520.tif 000008
【図７】
2008306520.tif 000009
【図８】
2008306520.tif 000010
【図９】
2008306520.tif 000011
【図１０】
2008306520.tif 000012
【図１１】
2008306520.tif 000013